(57)【要約】      （修正有）【課題】軽量化が図れ、剛性の向上が可能でありながらも、長尺部材の共用化を図り得るパネルの提供。【解決手段】四周枠１１を有したパネル芯材１０のパネル厚さ方向両側に面材２７を設けたパネル１であって、四周枠１１を構成する両側の縦枠部１３のうちの少なくとも一方の第１縦枠部１３は、木質系材料から形成された２つの縦桟部１４，１５をパネル幅方向に隣接させて接合した構成とされており、２つの縦桟部１４, １５のうちの一方の第１縦桟部１４は、パネル長手方向一方側の長尺縦桟材１４ａとパネル長手方向他方側の短尺縦桟材１４ｂとを接合した構成とされ、２つの縦桟部１４, １５のうちの他方の第２縦桟部１５は、パネル長手方向他方側の長尺縦桟材１５ａとパネル長手方向一方側の短尺縦桟材１５ｂとを接合した構成とされており、各縦桟部１４, １５の長尺縦桟材１５ａ及び短尺縦桟材１５ｂは、単板積層材から形成されている。【選択図】図１
2020139398.tif 000002
【特許請求の範囲】
【請求項１】
四周枠を有したパネル芯材のパネル厚さ方向両側に面材を設けたパネルであって、
前記四周枠を構成する両側の縦枠部のうちの少なくとも一方の第１縦枠部は、木質系材料から形成された２つの縦桟部をパネル幅方向に隣接させて接合した構成とされており、
前記２つの縦桟部のうちの一方の第１縦桟部は、パネル長手方向一方側の長尺縦桟材とパネル長手方向他方側の短尺縦桟材とを接合した構成とされ、前記２つの縦桟部のうちの他方の第２縦桟部は、パネル長手方向他方側の長尺縦桟材とパネル長手方向一方側の短尺縦桟材とを接合した構成とされており、
前記各縦桟部の前記長尺縦桟材及び前記短尺縦桟材は、単板積層材から形成されていることを特徴とするパネル。
【請求項２】
四周枠を有したパネル芯材のパネル厚さ方向両側に面材を設けたパネルであって、
前記四周枠を構成する両側の縦枠部のうちの少なくとも一方の第１縦枠部は、木質系材料から形成された２つの縦桟部をパネル幅方向に隣接させて接合した構成とされており、
前記２つの縦桟部のうちの一方の第１縦桟部は、パネル長手方向一方側の長尺縦桟材とパネル長手方向他方側の短尺縦桟材とを接合した構成とされ、前記２つの縦桟部のうちの他方の第２縦桟部は、パネル長手方向他方側の長尺縦桟材とパネル長手方向一方側の短尺縦桟材とを接合した構成とされており、
当該パネルの高さ寸法が２４００ｍｍ〜３０００ｍｍであり、前記各縦桟部の前記長尺縦桟材は、長さ寸法が１８００ｍｍ〜２１００ｍｍであることを特徴とするパネル。
【請求項３】
四周枠を有したパネル芯材のパネル厚さ方向両側に面材を設けたパネルであって、
前記四周枠を構成する両側の縦枠部は、それぞれ木質系材料から形成された２つの縦桟部をパネル幅方向に隣接させて接合した構成とされており、
前記２つの縦桟部のうちの一方の第１縦桟部は、パネル長手方向一方側の長尺縦桟材とパネル長手方向他方側の短尺縦桟材とを接合した構成とされ、前記２つの縦桟部のうちの他方の第２縦桟部は、パネル長手方向他方側の長尺縦桟材とパネル長手方向一方側の短尺縦桟材とを接合した構成とされており、
前記２つの縦桟部をそれぞれに備えた前記両側の縦枠部が互いに同様の構成とされていることを特徴とするパネル。
【請求項４】
請求項１乃至３のいずれか１項において、
前記第１縦桟部及び前記第２縦桟部のパネル幅方向に沿う幅寸法が互いに略同寸法とされ、かつこれら縦桟部の長尺縦桟材同士及び短尺縦桟材同士が略同長さとされていることを特徴とするパネル。
【請求項５】
請求項１乃至４のいずれか１項において、
前記２つの縦桟部のそれぞれの縦桟材の接合位置を、当該パネルをパネル長手方向に３等分した中央部以外の位置に設けたことを特徴とするパネル。
【発明の詳細な説明】
【技術分野】
【０００１】
本発明は、建具や内装パネル等として用いられるパネルに関する。
【背景技術】
【０００２】
従来より、無垢材等からなるパネルに比べて軽量化が図れることから、四周枠を有したパネル芯材に面材を貼着した構成とされたいわゆるフラッシュパネルが知られている。
例えば、下記特許文献１には、矩形状に枠組みされた左右の縦枠部及び上下の横枠部を備えたパネル枠の両面に外面板を設けたフラッシュパネルが開示されている。また、このフラッシュパネルは、左右の縦枠部に外縦桟とこれに隣接する中縦桟とを設けた構成とされている。
【先行技術文献】
【特許文献】
【０００３】
【特許文献１】特開２０１４−１０９１１５号公報
【発明の概要】
【発明が解決しようとする課題】
【０００４】
しかしながら、このようなフラッシュパネルにおいては、縦枠部を複数の縦桟を接合した構成としているので、剛性を向上させることが可能ではあるが、比較的に長尺な多数の縦桟が必要となる。そのため、例えば、標準的な長さ（戸高）のパネル用の縦桟を、標準的な戸高よりも長尺なパネル（例えば、ハイドア）用の縦桟として適用し難く、更なる改善が望まれる。
【０００５】
本発明は、上記実情に鑑みてなされたものであり、軽量化が図れ、剛性の向上が可能でありながらも、長尺部材の共用化を図り得るパネルを提供することを目的としている。
【課題を解決するための手段】
【０００６】
上記目的を達成するために、本発明に係るパネルは、四周枠を有したパネル芯材のパネル厚さ方向両側に面材を設けたパネルであって、前記四周枠を構成する両側の縦枠部のうちの少なくとも一方の第１縦枠部は、木質系材料から形成された２つの縦桟部をパネル幅方向に隣接させて接合した構成とされており、前記２つの縦桟部のうちの一方の第１縦桟部は、パネル長手方向一方側の長尺縦桟材とパネル長手方向他方側の短尺縦桟材とを接合した構成とされ、前記２つの縦桟部のうちの他方の第２縦桟部は、パネル長手方向他方側の長尺縦桟材とパネル長手方向一方側の短尺縦桟材とを接合した構成とされており、前記各縦桟部の前記長尺縦桟材及び前記短尺縦桟材は、単板積層材から形成されていることを特徴とする。
上記目的を達成するために、本発明に係るパネルは、四周枠を有したパネル芯材のパネル厚さ方向両側に面材を設けたパネルであって、前記四周枠を構成する両側の縦枠部のうちの少なくとも一方の第１縦枠部は、木質系材料から形成された２つの縦桟部をパネル幅方向に隣接させて接合した構成とされており、前記２つの縦桟部のうちの一方の第１縦桟部は、パネル長手方向一方側の長尺縦桟材とパネル長手方向他方側の短尺縦桟材とを接合した構成とされ、前記２つの縦桟部のうちの他方の第２縦桟部は、パネル長手方向他方側の長尺縦桟材とパネル長手方向一方側の短尺縦桟材とを接合した構成とされており、当該パネルの高さ寸法が２４００ｍｍ〜３０００ｍｍであり、前記各縦桟部の前記長尺縦桟材は、長さ寸法が１８００ｍｍ〜２１００ｍｍであることを特徴とする。
上記目的を達成するために、本発明に係るパネルは、四周枠を有したパネル芯材のパネル厚さ方向両側に面材を設けたパネルであって、前記四周枠を構成する両側の縦枠部は、それぞれ木質系材料から形成された２つの縦桟部をパネル幅方向に隣接させて接合した構成とされており、前記２つの縦桟部のうちの一方の第１縦桟部は、パネル長手方向一方側の長尺縦桟材とパネル長手方向他方側の短尺縦桟材とを接合した構成とされ、前記２つの縦桟部のうちの他方の第２縦桟部は、パネル長手方向他方側の長尺縦桟材とパネル長手方向一方側の短尺縦桟材とを接合した構成とされており、前記２つの縦桟部をそれぞれに備えた前記両側の縦枠部が互いに同様の構成とされていることを特徴とする。
【発明の効果】
【０００７】
本発明に係るパネルは、上述のような構成としたことで、軽量化が図れ、剛性の向上が可能でありながらも、長尺部材の共用化を図ることができる。
【図面の簡単な説明】
【０００８】
【図１】（ａ）は、本発明の一実施形態に係るパネルの一例を模式的に示す概略正面図、（ｂ）は、同パネルが備えるパネル芯材の一例を模式的に示す概略正面図である。
【図２】（ａ）は、図１（ａ）におけるＸ１−Ｘ１線矢視に対応させた一部破断概略横断面図、（ｂ）は、図１（ｂ）におけるＹ部に対応させた概略拡大正面図、（ｃ）は、（ｂ）におけるＸ２−Ｘ２線矢視に対応させた一部破断概略横断面図、（ｄ）は、（ｃ）に対応させた一部破断概略分解横断面図である。
【図３】（ａ）は、同パネル芯材の一部を省略した概略分解正面図、（ｂ）は、同パネル芯材が備える補強材の一例を模式的に示す一部破断概略正面図、（ｃ）は、同補強材の一部破断概略側面図である。
【図４】（ａ）は、本発明の他の実施形態に係るパネルの一例を模式的に示す概略正面図、（ｂ）は、同パネルが備えるパネル芯材の一例を模式的に示す概略正面図である。
【発明を実施するための形態】
【０００９】
以下に本発明の実施の形態について、図面に基づいて説明する。
なお、一部の図では、他図に付している詳細な符号の一部を省略している。
また、以下の各実施形態では、各実施形態に係るパネルを戸パネルとして施工した状態を基準として上下方向等の方向を説明する。
【００１０】
図１〜図３は、第１実施形態に係るパネルの一例を模式的に示す図である。
本実施形態に係るパネル１は、パネル芯材１０のパネル厚さ方向両側に面材２７を設けた構成とされている。このような構成とすれば、無垢材等によって中実板状とされたものと比べて、軽量化を図ることができる。つまり、パネル１は、中実板状ではなく、中空状のパネル芯材１０のパネル厚さ方向両側に面材２７を設けたいわゆるフラッシュパネル状とされている。
また、本実施形態では、パネル１は、住居等の建物に設けられ出入口等となる開口部の吊元側に回転自在に支持されて開き戸を構成する戸パネル１とされている。
【００１１】
この戸パネル１は、図１（ａ）及び図２（ａ）に示すように、一方向（上下方向）に長尺な略矩形平板状とされている。
この戸パネル１の戸高寸法（長さ寸法）Ｈ１は、当該戸パネル１によって開閉される開口部の開口高に応じた寸法であればよく、標準的な戸高寸法Ｈ１、例えば、１８００ｍｍ〜２１００ｍｍ程度でもよい。また、戸パネル１は、戸高寸法Ｈ１が天井高と略同高さ、例えば、２４００ｍｍ〜３０００ｍｍ程度とされたハイドアを構成するものでもよい。また、戸パネル１の戸幅（パネル幅）寸法は、開口部の開口幅に応じた寸法であればよく、６００ｍｍ〜１２００ｍｍ程度でもよい。また、戸パネル１の戸厚（パネル厚）寸法は、２０ｍｍ〜４０ｍｍ程度でもよい。
【００１２】
また、この戸パネル１の戸先側端部には、開口部の戸先側縦枠等に設けられるラッチ受（ストライク）に挿入されるラッチ部３が組み込まれている。このようなラッチ部３としては、戸パネル１の戸先側端部に埋込状に設けられたラッチ錠装置２に対して戸幅方向（パネル幅方向）に出没自在とされたラッチボルトのラッチ頭部でもよい。また、図１（ａ）では、図示を省略しているが、戸パネル１の戸先側端部の戸厚方向両側には、ラッチ錠装置２に連結されてラッチ部３を出没させるハンドルが設けられる。このようなハンドルとしては、レバー状のものや、握玉状のもの、いわゆるプッシュプルハンドル等でもよい。また、ラッチ錠装置２としては、公知のものの採用が可能であり、ラッチ部３の没入を阻止するロック機構を有したものやデッドボルトを出没させるサムターンを備えたものでもよい。
【００１３】
また、ラッチ部３は、戸高方向（パネル長手方向）中央ＣＬよりも下方側に位置するように設けられている。つまり、戸パネル１の下端面からラッチ部３（ラッチ部３の上下方向中心（ラッチセンター））までの戸高方向に沿うラッチ下方側高さ寸法Ｈ２よりも戸パネル１の上端面からラッチ部３までの戸高方向に沿うラッチ上方側高さ寸法Ｈ３が大とされている。ラッチ下方側高さ寸法Ｈ２は、ラッチ錠装置２に連結されるハンドルの高さが操作し易い高さとなるように、適宜の高さとしてもよく、例えば、８００ｍｍ〜１０００ｍｍ程度でもよく、好ましくは、８５０ｍｍ〜９５０ｍｍ程度でもよい。また、ラッチ上方側高さ寸法Ｈ３は、上記した戸パネル１自体の戸高寸法Ｈ１やラッチ下方側高さ寸法Ｈ２に応じて適宜の寸法としてもよい。図例では、ラッチ上方側高さ寸法Ｈ３を、ラッチ下方側高さ寸法Ｈ２の１．９倍程度とした例を示している。
なお、戸パネル１の吊元側端部に、開口部の吊元側縦枠等に固定される蝶番等の回転連結部材を受け入れる凹所を設けた構成としてもよい。
【００１４】
パネル芯材１０は、図１（ｂ）に示すように、枠体を構成する四周枠１１を有している。
四周枠１１は、上端部に設けられた上横枠部１２と、戸幅方向両側に対状に設けられた両側の縦枠部１３，１３と、下端部に設けられた下横枠部１６と、を備えている。また、本実施形態では、四周枠１１内に、複数の桟材１７，１８，１９，２０と、コア材２６と、を設けた構成としている。四周枠１１を構成する各枠部１２，１３，１３，１６、複数の桟材１７，１８，１９，２０及びコア材２６の戸厚方向に沿う寸法は、互いに略同寸法とされている。
【００１５】
上横枠部１２は、戸幅方向に延びるように長尺状とされている。本実施形態では、上横枠部１２の下方側に戸幅方向に延びるように長尺状とされた横桟材を設けた構成としている。また、上横枠部１２の下方側に複数（図例では、３本）の横桟材を積み重ねるように設けた構成としている。これら横桟材を含んで上横枠部１２として把握するようにしてもよい。つまり、上横枠部１２を、複数の横桟材を戸高方向に隣接させて接合した構成としてもよい。このような構成とすれば、上横枠部１２の剛性を効果的に向上させることができ、反りや変形等を抑制することができる。また、上横枠部１２を、パネル芯材１０の上端部に埋込状に設けられる種々の部材の下地として利用したり、戸高寸法Ｈ１の調整代として利用したりすることもできる。
【００１６】
下横枠部１６は、戸幅方向に延びるように長尺状とされている。本実施形態では、上横枠部１２と概ね同様、下横枠部１６の上方側に戸幅方向に延びるように長尺状とされた横桟材を設けた構成としている。図例では、下横枠部１６の上方側に１本の横桟材を設けた例を示しているが、複数の横桟材を積み重ねるように設けた構成としてもよい。また、横桟材を含んで下横枠部１６として把握するようにしてもよい。つまり、下横枠部１６を、複数の横桟材を戸高方向に隣接させて接合した構成としてもよい。この下横枠部１６を構成する横桟材及び上横枠部１２を構成する横桟材の戸高方向に沿う幅寸法は、互いに略同寸法とされている。
また、本実施形態では、これら上下の横枠部１２，１６と両側の縦枠部１３，１３とをいわゆる縦勝状に接合した構成としている。つまり、両側の縦枠部１３，１３の上端部及び下端部の互いに向き合う内側面に上横枠部１２及び下横枠部１６の長手方向の各端面を当接させ、これら上下の横枠部１２，１６と両側の縦枠部１３，１３とを接合した構成としている。なお、上横枠部１２及び下横枠部１６を構成する横桟材同士及び上下の横枠部１２，１６と両側の縦枠部１３，１３とは、ステープル（いわゆるＵ針）等の止具６（図２（ｂ）参照）や接着剤等を用いて接合されたものでもよい。
【００１７】
両側の縦枠部１３，１３は、戸高方向に延びるように長尺状とされている。本実施形態では、これら両側の縦枠部１３，１３のうちの少なくとも一方の第１縦枠部１３，１３を、木質系材料から形成された２つの縦桟部１４，１５を戸幅方向に隣接させて接合した構成としている。このような構成とすれば、少なくとも一方の第１縦枠部１３，１３を、単一の縦桟材からなるものとした場合と比べて、剛性を効果的に向上させることができ、反りや変形等を抑制することができる。
また、２つの縦桟部１４，１５のうちの一方の第１縦桟部１４を、戸高方向一方側の長尺縦桟材１４ａと戸高方向他方側の短尺縦桟材１４ｂとを接合した構成としている。また、２つの縦桟部１４，１５のうちの他方の第２縦桟部１５を、戸高方向他方側の長尺縦桟材１５ａと戸高方向一方側の短尺縦桟材１５ｂとを接合した構成としている。
【００１８】
上記のような構成とすれば、各縦桟部１４，１５を、戸高寸法Ｈ１に応じた一本の長尺な縦桟材によって構成したものと比べて、２つの縦桟材１４，１５のうちの少なくとも一つ（例えば、長尺縦桟材）を戸高寸法Ｈ１の異なる複数の戸パネル１に対して適用することができ、長尺部材の共用化を図ることができる。また、比較的に戸高寸法Ｈ１が大とされた戸パネル１を構成する長尺部材の調達性を向上させることができ、このような戸パネル１を容易に実現することができる。また、各縦枠部１３，１３を構成する縦桟部１４，１５のそれぞれを、３本以上の縦桟材を備えた構成としたものと比べて、構造の簡略化が図れ、また、長尺縦桟材１４ａ，１５ａによって剛性を確保することができる。
また、第１縦桟部１４を、戸高方向一方側の長尺縦桟材１４ａと戸高方向他方側の短尺縦桟材１４ｂとを接合した構成とし、第２縦桟部１５を、戸高方向他方側の長尺縦桟材１５ａと戸高方向一方側の短尺縦桟材１５ｂとを接合した構成としている。このような構成とすれば、各縦桟部１４，１５のそれぞれの接合位置４，５が互いに戸高方向で異なる位置となり、例えば、接合位置４，５を戸高方向で同位置（同高さ位置）としたものと比べて、剛性が低下するようなことを抑制することができる。
【００１９】
本実施形態では、両側の縦枠部１３，１３の両方を、木質系材料から形成された２つの縦桟部１４，１５を戸幅方向に隣接させて接合した構成としている。このような構成とすれば、戸パネル１の戸幅方向両端部の縦枠部１３，１３の剛性を効果的に向上させることができ、反りや変形等を抑制することができる。なお、これら両側の縦枠部１３，１３は、互いに同様の構成であるので、以下では、一方を例にとって説明する。
縦枠部１３の第１縦桟部１４と第２縦桟部１５とは、互いに略同長さとされ、戸高寸法Ｈ１に応じた長さとされている。つまり、各縦桟部１４，１５の長尺縦桟材１４ａ，１５ａの長さ寸法Ｈ７と短尺縦桟材１４ｂ，１５ｂの長さ寸法Ｈ８とを足し合わせた寸法が戸高寸法Ｈ１と略同寸法とされている。また、図例では、戸幅方向外側の縦桟部を第１縦桟部１４とし、戸幅方向中央側の縦桟部を第２縦桟部１５としている。
【００２０】
また、本実施形態では、図３（ａ）に示すように、第１縦桟部１４及び第２縦桟部１５の戸幅方向に沿う幅寸法Ｗ，Ｗを互いに略同寸法としている。また、これら縦桟部１４，１５の長尺縦桟材１４ａ，１５ａ同士及び短尺縦桟材１４ｂ，１５ｂ同士を略同長さとしている。つまり、第１縦桟部１４の長尺縦桟材１４ａの長さ寸法Ｈ７と第２縦桟部１５の長尺縦桟材１５ａの長さ寸法Ｈ７とを略同長さとしている。また、第１縦桟部１４の短尺縦桟材１４ｂの長さ寸法Ｈ８と第２縦桟部１５の短尺縦桟材１５ｂの長さ寸法Ｈ８とを略同長さとしている。このような構成とすれば、第１縦桟部１４の長尺縦桟材１４ａと第２縦桟部１５の長尺縦桟材１５ａとを同一部品とでき、また、第１縦桟部１４の短尺縦桟材１４ｂと第２縦桟部１５の短尺縦桟材１５ｂとを同一部品とできる。つまり、縦枠部１３の各縦桟部１４，１５を、互いに略同長さとされた長尺縦桟材１４ａ，１５ａと互いに略同長さとされた短尺縦桟材１４ｂ，１５ｂとによって構成することができる。また、各縦桟部１４，１５の長尺縦桟材１４ａ，１５ａを、戸高寸法Ｈ１の異なる複数の戸パネル１のそれぞれに対して長さ調整されずに適用される構成とし、短尺縦桟材１４ｂ，１５ｂを、戸高寸法Ｈ１に応じて長さ調整される調整部材とすることができる。これにより、長尺縦桟材１４ａ，１５ａを戸高寸法Ｈ１の異なる複数の戸パネル１のそれぞれに対して共通部品とすることができ、長尺部材の共用化をより効果的に図ることができる。
【００２１】
また、これら第１縦桟部１４及び第２縦桟部１５の戸幅方向に沿う幅寸法Ｗ，Ｗは、上下の横枠部１２，１６を構成する横桟材の戸高方向に沿う幅寸法と略同寸法とされている。
また、本実施形態では、図１（ｂ）に示すように、２つの縦桟部１４，１５のそれぞれの縦桟材１４ａ，１４ｂ，１５ａ，１５ｂの接合位置４，５を、当該戸パネル１を戸高方向に３等分した中央部以外の位置に設けた構成としている。このような構成とすれば、接合位置４，５を戸高方向中央部に設けたものと比べて、互いの接合位置４，５が戸高方向に離間した位置となり、剛性の低下をより効果的に抑制することができる。
第１縦桟部１４は、戸高方向一方側となる下方側に長尺縦桟材１４ａを設け、この長尺縦桟材１４ａの上方側に短尺縦桟材１４ｂを接合した構成とされている。つまり、この第１縦桟材１４の長尺縦桟材１４ａと短尺縦桟材１４ｂとの接合位置４は、上端側に片寄るように位置している。また、この接合位置４は、戸パネル１を戸高方向に３等分した上側等分ラインＬ１よりも上側に位置する。つまり、接合位置４は、戸パネル１の上端面から上側等分ラインＬ１までの間に位置している。
また、第２縦桟部１５は、戸高方向他方側となる上方側に長尺縦桟材１５ａを設け、この長尺縦桟材１５ａの下方側に短尺縦桟材１５ｂを接合した構成とされている。つまり、この第２縦桟材１５の長尺縦桟材１５ａと短尺縦桟材１５ｂとの接合位置５は、下端側に片寄るように位置している。また、この接合位置５は、戸パネル１を戸高方向に３等分した下側等分ラインＬ２よりも下側に位置する。つまり、接合位置５は、戸パネル１の下端面から下側等分ラインＬ２までの間に位置している。
【００２２】
これら各縦桟部１４，１５の長尺縦桟材１４ａ，１５ａの長さ寸法Ｈ７は、上記のように接合位置４，５が戸高方向中央部に位置しないように、短尺縦桟材１４ｂ，１５ｂの長さ寸法Ｈ８よりも大とすればよい。また、長尺縦桟材１４ａ，１５ａの長さ寸法Ｈ７は、上記したような標準的な戸高寸法に応じた長さ寸法（例えば、１８００ｍｍ〜２１００ｍｍ程度）としてもよい。また、短尺縦桟材１４ｂ，１５ｂの長さ寸法Ｈ８は、戸高寸法Ｈ１及び長尺縦桟材１４ａ，１５ａの長さ寸法Ｈ７に応じて適宜の長さとすればよい。
また、本実施形態では、第１縦桟部１４の長尺縦桟材１４ａを下方側に設け、第２縦桟部１５の長尺縦桟材１５ａを上方側に設けた例を示しているが、これらを逆側に設けた構成としてもよい。つまり、第１縦桟部１４の長尺縦桟材１４ａを上方側に設け、第２縦桟部１５の長尺縦桟材１５ａを下方側に設けた構成としてもよい。なお、第１縦桟部１４の縦桟材１４ａ，１４ｂ同士、第２縦桟部１５の縦桟材１５ａ，１５ｂ同士及び縦桟部１４，１５同士は、ステープル等の止具６（図２（ｂ）参照）や接着剤等を用いて接合されたものでもよい。また、縦枠部１３としては、上記のような態様に代えて、各縦桟部１４，１５の接合位置４，５の両方または一方が戸パネル１を戸高方向に３等分した中央部に位置するように設けられたものでもよい。また、第１縦桟部１４の長尺縦桟材１４ａの長さ寸法Ｈ７と第２縦桟部１５の長尺縦桟材１５ａの長さ寸法Ｈ７とを異ならせてもよい。また、第１縦桟部１４の幅寸法Ｗと第２縦桟部１５の幅寸法Ｗとを異ならせてもよい。
【００２３】
また、本実施形態では、これら両側の縦枠部１３，１３の戸幅方向外側に向く外側面に、面材２７の端部が差し込まれる差込溝１３ａ，１３ａを全長に亘って設けた構成としている。これら戸幅方向両側の差込溝１３ａ，１３ａは、戸幅方向外側に向けて開口するように設けられている。また、これら差込溝１３ａ，１３ａを、各縦枠部１３，１３の戸厚方向略中心に位置するように設けた構成としている。これら差込溝１３ａ，１３ａの戸幅方向に沿う溝深さ寸法及び戸厚方向に沿う溝幅寸法は、面材２７の端部の差込性や保持性等の観点から適宜の寸法としてもよい。また、これら差込溝１３ａ，１３ａは、パネル芯材１０が組み付けられた後に切削等によって形成されたものでもよい。
面材２７は、図２（ａ）に示すように、戸パネル１の四周表面（戸厚方向両面及び戸幅方向両側端面）が化粧面となるようにパネル芯材１０の四周表面に貼着されている。また、面材２７は、ＭＤＦ（中密度繊維板）等の木質系ボードやガラス繊維等の強化繊維シートを含んだ繊維強化樹脂層等の基材の表面側に突板や樹脂シート等の化粧シートが貼着された構成とされたものでもよい。また、面材２７は、裏面側のパネル芯材１０の角部に応じた位置に折曲溝が設けられたものでもよい。また、図例では、パネル芯材１０の戸厚方向両側のそれぞれに設けられた二枚の面材２７，２７によって四周の化粧面を構成した例を示しているが、一枚の面材２７によって四周の化粧面を構成する態様としてもよい。なお、パネル芯材１０の四周表面に面材２７を設けた態様に代えて、パネル芯材１０の戸厚方向両側のみに面材２７を設けた態様等としてもよい。
【００２４】
また、本実施形態では、図１（ｂ）及び図２（ａ）に示すように、パネル芯材１０に、縦桟材２０が嵌め込まれる凹溝２２が戸幅方向に開口するように設けられた金属製の補強材２１を設けた構成としている。このような構成とすれば、補強材２１によって縦桟材２０の反りを抑制することができ、戸パネル１全体の反りを抑制することができる。
また、補強材２１の長さ寸法Ｈ４を戸高寸法Ｈ１よりも小とし、この補強材２１を下端側に片寄るように設けた構成としている。このような構成とすれば、比較的に戸高寸法Ｈ１が大とされた戸パネル１においてハンドル及びラッチ部３を適正な高さに位置付け可能でありながらも、閉鎖させる際に生じる戸先側端部の上端側の振動を低減することができ、異音の発生を低減することができる。つまり、比較的に比重の大きな補強材２１を下端側に片寄るように設けた構成としているので、補強材２１を上端側に片寄るように設けたものと比べて、戸パネル１の重心を低くすることができる。これにより、戸パネル１が閉鎖される際に生じ易くなる戸先側端部のラッチ部３から離間した部位となる上端側の戸厚方向への振動を抑制することができる。つまりは、閉鎖側に移動する戸パネル１のラッチ部３よりも上方側の上端側が慣性力によって振動するようなことを低減することができる。また、このように補強材２１を戸高寸法Ｈ１よりも短い寸法とすれば、例えば、この補強材２１を、戸高寸法Ｈ１の異なる複数の戸パネル１に対して適用することもできる。つまり、戸パネル１の補強材２１よりも上側部位の寸法（上端側戸高寸法）Ｈ６を異ならせることで、戸高寸法Ｈ１の異なる戸パネルを容易に実現することもできる。
【００２５】
また、本実施形態では、縦桟材２０及びこれが嵌め込まれる補強材２１を、戸幅方向中央よりも戸先側に位置するように設けた構成としている。このような構成とすれば、戸パネル１の戸先側の反りを抑制することができる。また、戸幅方向中央部位や吊元側のみに補強材２１を設けたものと比べて、戸パネル１が閉鎖される際に生じる戸先側端部の上端側の戸厚方向への振動をより効果的に抑制することができる。
また、本実施形態では、縦桟材２０及びこれが嵌め込まれる補強材２１を、戸幅方向両側部位に設けた構成としている。このような構成とすれば、戸パネル１の戸幅方向両側の反りを抑制することができる。なお、戸先側の縦桟材２０及び補強材２１と吊元側の縦桟材２０及び補強材２１とは、互いに同様の構成であるので、以下では、一方を例にとって説明する。
【００２６】
縦桟材２０及び補強材２１は、戸高方向に延びるように長尺状とされている。
補強材２１の長さ寸法Ｈ４は、ラッチ部３の高さ等に応じて、また、反りを抑制する観点や軽量化を図る観点等から適宜の長さ寸法としてもよく、戸高寸法Ｈ１の３／５〜１７／２０程度の寸法としてもよい。図例では、補強材２１の長さ寸法Ｈ４を、上記した縦枠部１３の各縦桟部１４，１５の長尺縦桟材１４ａ，１５ａの長さ寸法Ｈ７と略同長さとし、戸高寸法Ｈ１の３／４程度の寸法とした例を示している。
また、下端側に片寄って設けられる補強材２１の高さ位置は、ラッチ部３の高さ等に応じて、適宜の高さ位置とすればよい。本実施形態では、補強材２１を長手方向に３等分した中央部がラッチ部３の高さとなるように補強材２１を設けた構成としている。つまり、戸幅方向に見て、ラッチ部３と補強材２１を長手方向に３等分した中央部とが重なり合う位置となるように補強材２１を設けた構成としている。
【００２７】
また、本実施形態では、補強材２１を、下横枠部１６との間に間隔を空けるように設けた構成としている。つまり、補強材２１を、戸パネル１の下端部近傍に至るまで設けずに、戸パネル１の下端側に補強材２１の存在しない部位を設けた構成としている。つまりは、本実施形態では、戸パネル１の上下両側に補強材２１の存在しない部位を設けた構成としている。補強材２１の下端から戸パネル１の下端面までの戸高方向に沿う下端側戸高寸法Ｈ５は、補強材２１の上端から戸パネル１の上端面までの戸高方向に沿う上端側戸高寸法Ｈ６よりも小とすればよい。この下端側戸高寸法Ｈ５は、上端側戸高寸法Ｈ６の１／２〜１／５程度の寸法としてもよい。
【００２８】
また、本実施形態では、縦桟材２０及び補強材２１の長さ寸法Ｈ４を、互いに略同寸法としている。つまり、縦桟材２０を、戸パネル１の全長に亘って設けずに、その長さ寸法Ｈ４を戸高寸法Ｈ１よりも小とし、かつ下端側に片寄らせて設けた構成としている。
また、縦桟材２０の上端部を、上横枠部１２の下方側に戸高方向に間隔を空けて設けられた上横桟としての横桟１７に接合した構成としている。このような構成とすれば、横桟１７によってパネル芯材１０の剛性を向上させることができる。また、補強材２１及びこれに嵌め込まれた縦桟材２０を共通部品として戸高寸法Ｈ１の異なる複数の戸パネル１に対して適用することができる。つまり、戸パネル１の横桟１７よりも上側部位の寸法を異ならせることで、戸高寸法Ｈ１の異なる戸パネル１を容易に実現することもできる。
【００２９】
また、縦桟材２０の下端部を、下横枠部１６の上方側に戸高方向に間隔を空けて設けられた下横桟としての横桟１７に接合した構成としている。つまり、本実施形態では、上下の横枠部１２，１６の戸高方向中央側に間隔を空けて上下の横桟１７，１７を両側の縦枠部１３，１３間に架け渡すように設けた構成としている。これら上下の横桟１７，１７は、戸幅方向に延びるように長尺状とされ、互いに同様の構成とされている。これら上下の横桟１７，１７と両側の縦枠部１３，１３とは、ステープル等の止具６（図２（ｂ）参照）や接着剤等を用いて接合されたものでもよい。
また、上側の横桟１７と両側の縦枠部１３，１３と上横枠部１２とによって囲まれた中空部に、戸幅方向及び戸高方向に沿う寸法が中空部の戸幅方向及び戸高方向に沿う寸法に応じた寸法とされたコア材２６を収納させた構成としている。つまり、上側の横桟１７と両側の縦枠部１３，１３と上横枠部１２とによって囲まれた中空部には、桟材等が設けられておらず、コア材２６が略全域に亘って収納されている。このような構成とすれば、中空にしたものと比べて、戸パネル１の上端側部位の厚さ方向の強度の低下を抑制することができる。また、上側の横桟１７と両側の縦枠部１３，１３と上横枠部１２とによって囲まれた中空部に複数の桟材を設けたようなものと比べて、戸パネル１の上端側部位の軽量化を図ることができ、戸パネル１の重心を効果的に低くすることができる。また、このような中空部に収納されるコア材２６は、桟材に比べて加工性が良いため、上端側部位の寸法を異ならせて戸高寸法Ｈ１の異なる戸パネル１を容易に実現することもできる。
【００３０】
このようなコア材２６としては、発泡ウレタン等の発泡樹脂系材料から成形された発泡成形体からなるものでもよいが、本実施形態では、戸厚方向両側に開口する多数の中空筒状セルの集合体からなるハニカム状のコア材２６としている。つまり、コア材２６を、いわゆるペーパーコアとしている。また、このようなコア材２６としては、段ボール原紙やクラフト紙等の紙材を接着剤で重積接着して形成されたものでもよい。また、コア材２６としては、このような紙材に、エポキシ樹脂等の補強用の樹脂を更に含浸させたものでもよく、その他、アルミ材等の金属系材料や硬質ポリ塩化ビニル樹脂、ポリプロピレン樹脂等の合成樹脂系材料から形成されたものでもよい。また、図例では、コア材２６の中空筒状セルを模式的に示しており、中空筒状セルが蜂の巣状（六角状）とされたものとしているが、方形状とされたものや円筒形状とされたもの、波形状とされたもの等、中空筒状セルのセル形状が種々の形状とされたものでもよい。また、このコア材２６は、ステープル等の止具６（図２（ｂ）参照）や接着剤等によって四周枠１１を構成する枠部１２，１３，１３，１６や桟材１７，１９に固定されたものでもよい。
なお、図例では、下側の横桟１７と両側の縦枠部１３，１３と下横枠部１６とによって囲まれた中空部にコア材２６を収納させていない例を示しているが、この中空部にもコア材２６を収納させた構成としてもよい。
【００３１】
また、縦桟材２０は、縦枠部１３に平行状にかつ縦枠部１３の戸幅方向中央側に間隔を空けて設けられている。縦枠部１３と縦桟材（中縦桟材）２０との間には、戸幅方向に沿う寸法が比較的に小とされた短尺なスペーサー状の短尺横桟１８が架け渡されるように設けられている。この短尺横桟１８と縦枠部１３及び縦桟材２０とは、ステープル等の止具６（図２（ｂ）参照）や接着剤等を用いて接合されたものでもよい。
また、縦桟材２０の長手方向に間隔を空けて複数（図例では、戸先側に３つ、吊元側に４つ）の短尺横桟１８を設けた構成としている。また、図例では、吊元側の複数の短尺横桟１８を、上下の横桟１７，１７間において戸高方向に等間隔を空けて設けた例を示している。また、ラッチ錠装置２と概ね同高さに位置するように設けられた吊元側の短尺横桟１８以外の３つの吊元側の短尺横桟１８と略同高さに位置するように、戸先側の３つの短尺横桟１８を設けた例を示している。また、ラッチ錠装置２の近傍には、戸先側の縦枠部１３と縦桟材２０との間に位置するように、ラッチ錠装置２の取付下地１８Ａが設けられている。
【００３２】
また、両側の縦桟材２０，２０間に架け渡すように中横桟１９を設けた構成としている。この中横桟１９は、戸幅方向に延びるように長尺状とされている。この中横桟１９と両側の縦桟材２０，２０とは、ステープル等の止具６（図２（ｂ）参照）や接着剤等を用いて接合されたものでもよい。また、縦桟材２０の長手方向に間隔を空けて複数（図例では、４つ）の中横桟１９を設けた構成としている。図例では、これら複数の中横桟１９を、上下の横桟１７，１７間において戸高方向に等間隔を空けて設けた例を示している。つまり、これら中横桟１９は、吊元側の短尺横桟１８と略同高さに位置するように設けられている。これら中横桟１９、短尺横桟１８及び上下の横桟１７，１７の戸高方向に沿う幅寸法は、上記した各横枠部１２，１６を構成する横桟材の戸高方向に沿う幅寸法と略同寸法とされている。
また、これら中横桟１９によって上下に区画された中空部のそれぞれに、上記同様なコア材２６を収納させた構成としている。
なお、短尺横桟１８によって上下に区画された中空部にコア材２６を収納させていない例を示しているが、これら中空部にもコア材２６を収納させた構成としてもよい。
【００３３】
また、縦桟材２０は、図２（ｃ）、（ｄ）に示すように、各枠部１２，１３，１３，１６や他の桟材１７，１８，１９と戸厚方向に沿う寸法が略同寸法とされた基部２０ａを戸幅方向一方側部位に有している。また、縦桟材２０は、この基部２０ａの戸幅方向他方側部位に、戸厚方向に沿う寸法が基部２０ａよりも小とされ、補強材２１の凹溝２２に嵌め込まれる嵌合部２０ｂを設けた構成とされている。また、縦桟材２０は、この嵌合部２０ｂの戸厚方向両側に基部２０ａから段下がり状とされた凹段部２０ｃ，２０ｃを設けた構成とされている。また、縦桟材２０は、全長に亘って一様な断面形状とされている。
また、本実施形態では、この縦桟材２０の基部２０ａを、戸幅方向中央側に位置させ、縦桟材２０の嵌合部２０ｂを戸幅方向外側に位置させた構成としている。この基部２０ａは、補強材２１から露出する構成とされており、この基部２０ａに、縦桟材２０と中横桟１９とを接合する止具６が止着され（打ち込まれ）ている。
【００３４】
また、この縦桟材２０は、戸幅方向に沿う幅寸法が上記した各枠部１２，１３，１３，１６を構成する桟材１４，１５や各横桟１７，１８，１９の幅寸法よりも大とされている。図例では、この縦桟材２０の幅寸法を、他の桟材１４，１５，１７，１８，１９の幅寸法の１．６倍程度とした例を示しているが、このような例に限られない。
また、縦桟材２０の嵌合部２０ｂの戸幅方向に沿う幅寸法を、縦桟材２０の基部２０ａの戸幅方向に沿う幅寸法よりも大としている。図例では、嵌合部２０ｂの幅寸法を、基部２０ａの幅寸法の４倍程度とした例を示しているが、このような例に限られない。
なお、パネル芯材１０の枠体を構成する縦桟材２０や各枠部１２，１３，１３，１６を構成する桟材１４，１５、各横桟１７，１８，１９は、合板やＬＶＬ（単板積層材）等の木質積層板や、ＰＢ（パーティクルボード）等の木質ボード、ＭＤＦ（中密度繊維板）やハードボード等の木質繊維板などの木質系材料から形成されたものとしてもよい。また、木質系材料としては、合成樹脂系材料に、木粉や無機フィラー、相溶化剤、着色剤などを所定の含有割合で含有させた木粉・プラスチック複合材（ＷＰＣ）としてもよい。
【００３５】
補強材２１は、戸幅方向に開口する凹溝２２を全長に亘って設けた構成とされ、凹溝２２の底側を区画する底片部２３と、凹溝２２の溝幅方向両側を区画する両側片部２４，２４と、を備えている。これら底片部２３及び両側片部２４，２４は、薄板状とされている。
凹溝２２の戸幅方向に沿う溝深さ寸法は、縦桟材２０の嵌合部２０ｂの受け入れが可能なように、嵌合部２０ｂの戸幅方向に沿う幅寸法に応じた寸法とされている。図例では、凹溝２２の溝深さ寸法を、嵌合部２０ｂの幅寸法よりも僅かに小とした例を示している。
また、凹溝２２の戸厚方向に沿う溝幅寸法は、縦桟材２０の嵌合部２０ｂの受け入れが可能なように、嵌合部２０ｂの戸厚方向に沿う厚さ寸法に応じた寸法とされている。この補強材２１と縦桟材２０とは、縦桟材２０の嵌合部２０ｂを補強材２１の凹溝２２に圧入して互いに固定されるものでもよく、接着剤等を併用して互いに固定されるものでもよい。
【００３６】
また、図例では、底片部２３及び両側片部２４，２４の厚さ寸法を互いに同寸法としている。これら底片部２３及び両側片部２４，２４の厚さ寸法は、強度上の観点や軽量化を図る観点等から適宜の厚さ寸法としてもよく、例えば、０．５ｍｍ〜３．０ｍｍ程度でもよく、好ましくは、１．０ｍｍ〜２．０ｍｍ程度でもよい。また、図例では、両側片部２４，２４の厚さ寸法を、縦桟材２０の戸厚方向両側の凹段部２０ｃ，２０ｃの戸厚方向に沿う段差寸法と略同寸法とした例を示している。つまり、基部２０ａの戸厚方向両面と両側片部２４，２４の戸厚方向外側に向く表面とが互いに略同一平面状とされている。換言すれば、補強材２１の戸厚方向に沿う寸法と縦桟材２０の基部２０ａの戸厚方向に沿う寸法とが略同寸法とされている。この補強材２１の戸厚方向に沿う寸法を、縦桟材２０の基部２０ａの戸厚方向に沿う寸法よりも僅かに小さい寸法としてもよい。
【００３７】
また、本実施形態では、補強材２１の戸幅方向に沿う幅寸法Ｗ１を、縦桟材２０の戸幅方向に沿う幅寸法Ｗ２の２／３以上の寸法としている（図３（ａ）参照）。このような構成とすれば、補強材２１の戸幅方向に沿う幅寸法Ｗ１が比較的に大となり、縦桟材２０の反りをより効果的に抑制することができる。この補強材２１の幅寸法Ｗ１は、縦桟材２０の基部２０ａに止具６の止着が可能なように、縦桟材２０の幅寸法Ｗ２に応じて適宜の寸法としてもよい。図例では、補強材２１の幅寸法Ｗ１を、縦桟材２０の幅寸法Ｗ２の３／４程度とした例を示しているが、このような例に限られない。
また、本実施形態では、補強材２１の凹溝２２が戸幅方向中央側に向けて開口するように補強材２１を設けた構成としている。つまり、補強材２１の底片部２３が戸幅方向外側に位置するように補強材２１を設けた構成としている。このような構成とすれば、凹溝２２が逆側に開口するように補強材２１を設けたものと比べて、戸パネル１の戸幅方向の端部側の剛性をより効果的に向上させることができる。
【００３８】
また、補強材２１には、図２（ｂ）、（ｃ）に示すように、縦桟材２０の止具６の止着箇所を露出させる開口２５が設けられている。このような構成とすれば、開口２５を介して止具６を縦桟材２０に止着させることができ、金属製の補強材２１を設けながらも組付性を向上させることができる。
この開口２５は、縦桟材２０に隣接される桟材（本実施形態では、短尺横桟）１８と縦桟材２０とを接合する止具６の止着箇所を露出させるように設けられている。この開口２５は、補強材２１の凹溝２２に嵌め込まれた縦桟材２０の嵌合部２０ｂの一部を露出させるように設けられている。また、開口２５は、補強材２１の側片部２４を厚さ方向に貫通するように設けられている。また、補強材２１の両側片部２４，２４のそれぞれに開口２５，２５が設けられている。
【００３９】
また、これら戸厚方向両側の開口２５，２５は、図３（ｃ）に示すように、互いに略同高さに位置するように設けられている。また、これら両側の開口２５，２５を、底片部２３の戸厚方向両側縁部を切り欠くように設けた構成としている。
また、これら開口２５，２５は、上記のように戸高方向に間隔を空けて設けられた複数の短尺横桟１８に応じた個数及び位置となるように設けられている。なお、各開口２５の戸高方向に沿う寸法及び戸幅方向に沿う寸法は、止具６の挿通が可能なように、また、補強材２１の強度上の観点等から適宜の寸法とすればよい。また、開口２５の形状等は図例のようなものに限られず、種々の変形が可能である。
【００４０】
また、本実施形態では、補強材２１の幅寸法Ｗ１を、縦桟材２０の戸幅方向一方側の基部２０ａが露出するように縦桟材２０の幅寸法Ｗ２よりも小とした例を示しているが、補強材２１の幅寸法Ｗ１と縦桟材２０の幅寸法Ｗ２とを略同寸法としてもよい。この場合は、縦桟材２０に隣接される桟材（中横桟）１９と縦桟材２０とを接合する止具６の止着箇所を露出させるように切欠状の開口を両側片部２４，２４に設けた構成等としてもよい。または、補強材２１の幅寸法Ｗ１を、縦桟材２０の幅寸法Ｗ２の２／３未満としてもよい。
【００４１】
次に、本発明に係る他の実施形態について、図面を参照しながら説明する。
なお、以下の実施形態では、上記第１実施形態との相違点について主に説明し、同様の構成については、同一の符号を付し、その説明を省略または簡略に説明する。
図４は、第２実施形態に係るパネルの一例を模式的に示す図である。
【００４２】
本実施形態では、戸パネル９は、図４（ａ）に示すように、パネルを構成する縦框部１Ａ，１Ａを戸幅方向両側に有した框状パネルとされている。また、戸パネル９は、これら両側の縦框部１Ａ，１Ａ間に、板材２９を設けた構成とされている。板材２９は、厚さ寸法が両側の縦框部１Ａ，１Ａの戸厚方向に沿う寸法よりも小とされている。この板材２９は、透光性を有した透光板でもよい。また、この板材２９と両側の縦框部１Ａ，１Ａとは、縦框部１Ａ，１Ａの互いに向き合う内側面において開口するように設けられた接合溝２８，２８に板材２９の戸幅方向両端部を嵌め入れて接合されたものでもよく、接着剤等を併用して接合されたものでもよい。また、両側の縦框部１Ａ，１Ａ同士を連結するワイヤー等の連結部材を上端面に沿わせるように設けた構成等としてもよい。
また、戸パネル９を、当該戸パネル９の略全長に亘って板材２９が設けられた二方框状パネルとした例を示しているが、上下に横框部が設けられた四方框状パネルとしてもよい。
【００４３】
両側の縦框部１Ａ，１Ａは、互いに概ね同様の構成とされている。これら両側の縦框部１Ａ，１Ａの主に異なる点は、戸先側の縦框部１Ａに不図示のハンドルに連結されるラッチ錠装置２が組み込まれる点及び吊元側の縦框部１Ａに回動連結部材が取り付けられる点である。
また、両側の縦框部１Ａ，１Ａは、上記した戸パネル１と概ね同様、パネル芯材１０Ａ（図４（ｂ）参照）の戸厚方向両側に面材２７を設けた構成とされている。戸厚方向両側の面材２７は、戸幅方向一方側の端部がパネル芯材１０Ａの戸幅方向外側面に設けられた差込溝１３ａに差し込まれ、戸幅方向他方側の端部が接合溝２８の開口縁を構成するように設けられたものでもよい。
また、これら両側の縦框部１Ａ，１Ａのパネル芯材１０Ａのうちの少なくとも戸先側のパネル芯材１０Ａに、縦桟材２０及びこれが嵌め込まれる補強材２１が設けられている。本実施形態では、これら両側の縦框部１Ａ，１Ａに縦桟材２０，２０及び補強材２１，２１を設けた構成としている。なお、これら両側の縦框部１Ａ，１Ａのパネル芯材１０Ａは、互いに略同様の構成であるので、以下では、一方を例にとって説明する。
【００４４】
パネル芯材１０Ａは、戸幅方向に沿う寸法が上記第１実施形態のパネル芯材１０の戸幅方向に沿う寸法よりも小とされている。また、パネル芯材１０Ａの四周枠１１Ａは、上下の横枠部１２，１６と両側の縦枠部１３，１３とを横勝状に接合した構成とされている。つまり、上下の横枠部１２，１６の戸幅方向両端部の互いに向き合う内側面に両側の縦枠部１３，１３の長手方向の各端面を当接させ、これら上下の横枠部１２，１６と両側の縦枠部１３，１３とを接合した構成としている。また、図例では、複数本の横桟材からなる上横枠部１２の下方側に隣接させて両側の縦枠部１３，１３間に架け渡すように桟材を更に設けた例を示している。また、複数本の横桟材からなる下横枠部１６の上方側に隣接させて両側の縦枠部１３，１３間に架け渡すように桟材を更に設けた例を示している。
また、上記と概ね同様、両側の縦枠部１３，１３は、それぞれ第１縦桟部１４と第２縦桟部１５とを接合した構成とされている。
【００４５】
また、本実施形態では、パネル芯材１０Ａの戸幅方向外側部位に縦桟材２０及び補強材２１を設けた構成としている。つまり、パネル芯材１０Ａに、単一の縦桟材２０及び補強材２１を設けた構成としている。また、縦桟材２０の上下端部は、上記と概ね同様、上下の横枠部１２，１６から戸高方向中央側に間隔を空けて設けられた上下の横桟１７，１７に接合されている。上側の横桟１７の上方側の中空部には、上記と概ね同様、コア材２６が収納されている。
戸幅方向外側の縦枠部１３と縦桟材２０との間には、上記同様、短尺横桟１８及び取付下地１８Ａが設けられている。なお、吊元側のパネル芯材１０Ａには、取付下地１８Ａに代えて短尺横桟１８を設けた構成としてもよい。
戸幅方向中央側（板材２９側）の縦枠部１３と縦桟材２０との間には、中横桟１９が設けられている。また、上記と概ね同様、中横桟１９によって上下に区画された中空部のそれぞれに、コア材２６を収納させた構成としている。
縦桟材２０及びこの縦桟材２０が嵌め込まれた補強材２１は、上記と概ね同様の構成とされている。
【００４６】
上記構成とされた本実施形態に係る戸パネル９においても上記と概ね同様の効果を奏する。また、本実施形態では、框状パネルとされた戸パネル９の軽量化を図ることができる。
また、縦桟材２０及びこれが嵌め込まれる補強材２１を、戸幅方向両側のパネル芯材１０Ａのうちの少なくとも戸先側のパネル芯材１０Ａに設けた構成としている。このような構成とすれば、少なくとも戸先側の反りを抑制することができ、また、戸パネル９が閉鎖される際に生じる戸先側端部の上端側の戸厚方向への振動を効果的に抑制することができる。
なお、本実施形態では、縦框部１Ａのパネル芯材１０Ａに、単一の縦桟材２０及び補強材２１を設けた構成としているが、戸幅方向に間隔を空けて複数の縦桟材２０及び補強材２１を設けた構成としてもよい。
【００４７】
また、上記した各実施形態に係る戸パネル１，９における互いに異なる構成を、適宜、組み替えたり、組み合わせたりして適用するようにしてもよい。
また、上記各実施形態では、補強材２１の凹溝２２が戸幅方向中央側に向けて開口するように補強材２１を設けた構成とした例を示しているが、凹溝２２が逆側に向けて開口するように補強材２１を設けた構成としてもよい。この場合は、縦桟材２０も必要に応じて変形するようにすればよい。
また、上記各実施形態では、縦枠部１３から戸幅方向に間隔を空けて設けられた縦桟材２０に補強材２１を設けた例を示しているが、このような態様に代えて、または加えて、縦枠部１３を構成する縦桟部１４，１５に補強材２１を設けた構成としてもよい。さらには、このような補強材２１を設けていない構成としてもよい。
【００４８】
また、上記各実施形態では、パネル芯材１０，１０Ａの四周枠１１，１１Ａ内に縦桟材２０や横桟１７，１８，１９を設けた例を示しているが、少なくとも四周枠１１，１１Ａを構成する枠部１２，１３，１３，１６を備えた構成としてもよい。また、上記各実施形態では、上下の横枠部１２，１６を、複数本の横桟材を戸高方向に接合した構成としているが、単一の横桟材からなるものとしてもよい。
また、上記各実施形態では、中空部にコア材２６を収納させた構成としているが、このようなコア材２６を設けていない構成としてもよい。
また、上記各実施形態では、戸パネル１，９を、開き戸とした例を示しているが、引戸や折戸等の他の建具としたり、パーティション等の間仕切パネルとしたりしてもよく、さらには、家具材や内装パネル等を構成するものとしたりしてもよい。
【符号の説明】
【００４９】
１            戸パネル（パネル）
１Ａ          縦框部（パネル）
１０，１０Ａ  パネル芯材
１１，１１Ａ  四周枠
１３          縦枠部（第１縦枠部）
１４          第１縦桟部（縦桟部）
１４ａ        長尺縦桟材
１４ｂ        短尺縦桟材
１５          第２縦桟部（縦桟部）
１５ａ        長尺縦桟材
１５ｂ        短尺縦桟材
２７          面材
４            第１縦桟部の接合位置
５            第２縦桟部の接合位置
Ｈ７          長尺縦桟材の長さ寸法
Ｈ８          短尺縦桟材の長さ寸法
Ｗ            縦桟部の幅寸法
【図１】
2020139398.tif 000003
【図２】
2020139398.tif 000004
【図３】
2020139398.tif 000005
【図４】
2020139398.tif 000006